(57)【要約】【課題】引手及びこれを備えた建具を提供する。【解決手段】パネル体４の表裏を貫通して形成された開口部５の表裏の開口縁５ａ,５ａの各々に相対向して装着される一対の開口枠材２（２Ａ，２Ｂ）と、前記一対の開口枠材で保持され前記開口部を閉塞するように取り付けられる透光性板部材３と、を備えた引手１であって、前記透光性板部材は、矩形状に形成された板本体部３０と、該板本体部に形成され且つ前記板本体部の周縁部３０ａから前記パネル体の表裏両方向へ一定幅に突出して形成された平板状の係止片部３１を有し、前記開口枠材は、前記係止片部が係合され前記係止片部に対応する形状とされた凹溝状の係止受け部２２が外面２１ａに形成された周壁２１を有しており、前記係止受け部に前記係止片部を係合させた状態で相互に移動させることにより、前記一対の開口枠材と前記透光性板部材とが一体化されることを特徴とする。【選択図】図１
2014031683.tif 000002
【特許請求の範囲】
【請求項１】
パネル体の表裏を貫通して形成された開口部の表裏の開口縁の各々に相対向して装着される一対の開口枠材と、前記一対の開口枠材で保持され前記開口部を閉塞するように取り付けられる透光性板部材と、を備えた引手であって、
前記透光性板部材は、矩形状に形成された板本体部と、該板本体部に形成され且つ前記板本体部の周縁部から前記パネル体の表裏両方向へ一定幅に突出して形成された平板状の係止片部を有し、
前記開口枠材は、前記係止片部が係合され前記係止片部に対応する形状とされた凹溝状の係止受け部が外面に形成された周壁を有しており、
前記係止受け部に前記係止片部を係合させた状態で相互に移動させることにより、前記一対の開口枠材と前記透光性板部材とが一体化されることを特徴とする引手。
【請求項２】
請求項１において、
前記係止片部が、前記係止受け部に対して、前記パネル体の表裏方向で段階的に位置を変えて係合されるように構成されることを特徴とする引手。
【請求項３】
請求項１または請求項２において、
前記透光性板部材と同形状に形成された非透光性板部材を備え、
該非透光性板部材が前記透光性板部材に代えて選択的に取り付けられるように構成されることを特徴とする引手。
【請求項４】
請求項１〜請求項３のいずれか１項において、
前記板本体部は、平面視において正方形状に形成され、且つその四辺の各々に前記係止片部が形成され、
前記周壁は、その外形状が前記板本体部の外形状と同形状をなす中空の筒状体に形成され、且つその四面各々の外面に前記係止受け部が形成されることを特徴とする引手。
【請求項５】
請求項１〜請求項４のいずれか１項において、
前記板本体部は、前記一対の開口枠材の対向する前記周壁の端部間に挟まれた状態で保持されることを特徴とする引手。
【請求項６】
前記パネル体が建具パネルであり、この建具パネルが請求項１〜５のいずれか１項に記載の引手を備えていることを特徴とする建具。
【発明の詳細な説明】
【技術分野】
【０００１】
本発明は、引手及びこれを備えた建具に関する。
【背景技術】
【０００２】
従来より、引戸等の建具に設けられた引手として、複数の部材を結合させて一体化し、それを引手とするものが知られている。
例えば、下記特許文献１（図５参照）には、パネル体に形成された貫通孔の一方側に主引手本体、他方側に補助引手本体を取り付け、これらの間に透明な板材を介在させたものが開示されている。主引手本体の主枠状脚部に突設したリブの外面を貫通孔に嵌合させ、補助引手本体の補助枠状脚部が主引手本体の主枠状脚部に嵌合することで、パネル体の貫通孔に取り付けられている。板材は、補助枠状脚部の両側壁の内面に挟持された状態で補助引手本体に組み付けられている。
また、特許文献２には、一対のアウターピース及びインナーピースで構成される引手が開示されている。ここに記載の引手は、引手本体の凹部を収容する一方のホルダの内周部に係合突起が形成され、引手本体の凹部にこの係合突起に係合するための係合孔が形成されている。
【先行技術文献】
【特許文献】
【０００３】
【特許文献１】実登第３１５２７６７号公報
【特許文献２】特開平１０−３７５４５号公報
【発明の概要】
【発明が解決しようとする課題】
【０００４】
しかしながら、上記特許文献１、２に記載されたものは、引手が取り付けられる建具の厚みに対応して、寸法設計されたものが前提とされているため、設定外の厚みを備えた建具に取り付けることができないものであった。
【０００５】
本発明は、このような事情を考慮して提案されたもので、その目的は、任意の厚さに対応可能な引手及びこれを備えた建具を提供することにある。
【課題を解決するための手段】
【０００６】
上記目的を達成するために、本発明に係る引手は、パネル体の表裏を貫通して形成された開口部の表裏の開口縁の各々に相対向して装着される一対の開口枠材と、前記一対の開口枠材で保持され前記開口部を閉塞するように取り付けられる透光性板部材と、を備えた引手であって、前記透光性板部材は、矩形状に形成された板本体部と、該板本体部に形成され且つ前記板本体部の周縁部から前記パネル体の表裏両方向へ一定幅に突出して形成された平板状の係止片部を有し、前記開口枠材は、前記係止片部が係合され前記係止片部に対応する形状とされた凹溝状の係止受け部が外面に形成された周壁を有しており、前記係止受け部に前記係止片部を係合させた状態で相互に移動させることにより、前記一対の開口枠材と前記透光性板部材とが一体化されることを特徴とする。
【０００７】
本発明においては、前記係止片部が、前記係止受け部に対して、前記パネル体の表裏方向で段階的に位置を変えて係合されるように構成されるようにしてもよい。
また本発明においては、前記透光性板部材と同形状に形成された非透光性板部材を備え、該非透光性板部材が前記透光性板部材に代えて選択的に取り付けられるように構成されるようにしてもよい。
さらに本発明においては、前記板本体部は、平面視において正方形状に形成され、且つその四辺の各々に前記係止片部が形成され、前記周壁は、その外形状が前記板本体部の外形状と同形状をなす中空の筒状体に形成され、且つその四面各々の外面に前記係止受け部が形成されるようにしてもよい。
そして本発明においては、前記板本体部は、前記一対の開口枠材の対向する前記周壁の端部間に挟まれた状態で保持されるようにしてもよい。
また本発明においては、前記パネル体が建具パネルであり、この建具パネルが上述の引手を備えている建具としてもよい。
【発明の効果】
【０００８】
本発明の引手及びこれを備えた建具によれば、建具パネル等のパネル体の任意の厚さに対応することができる。
【図面の簡単な説明】
【０００９】
【図１】本発明の一実施形態に係る引手の一例を模式的に示した分解斜視図である。
【図２】（ａ）は同引手を備えた建具の一例を模式的に示した部分拡大斜視図であり、（ｂ）は（ａ）の概略的部分縦断面図である。
【発明を実施するための形態】
【００１０】
以下に、本発明の実施形態について、添付図面を参照しながら説明する。
なお、一部の図では、他図に付している詳細な符号の一部を省略している。また、以下の実施形態では、パネル体４に取り付けられた状態の引手１を基準として、表裏方向ｄ１、部材等を原則的に説明する。
【００１１】
本実施形態に係る引き手１は、一対の開口枠材２，２と、透光性板部材３とを備えている。一対の開口枠材２，２は、パネル体４の表裏を貫通して形成された開口部５の表裏の開口縁５ａ，５ａの各々に相対向して装着される。透孔性板部材３は、一対の開口枠材２で保持され開口部５を閉塞するように取り付けられる。
透光性板部材３は、矩形状に形成された板本体部３０と、板本体部３０に形成され且つ板本体部３０の周縁部３０ａからパネル体４の表裏両方向（表裏方向ｄ１の両側）へ一定幅に突出して形成された平板状の係止片部３１を有している。開口枠材２は、係止片部３１が係合され係止片部３１に対応する形状とされた凹溝状の係止受け部２２が外面２１ａに形成された周壁２１を有している。係止受け部２２に係止片部３１を係合させた状態で相互に移動させることにより、一対の開口枠材２，２と透光性板部材３とが一体化される。
【００１２】
以下、詳しく説明する。なお、以下では、一対の開口枠材２，２のうち、パネル体４の表面４ａ側の開口部５に取り付けられる開口枠材を２Ａ，パネル体４の裏面４ｂ側の開口部５に取り付けられる開口枠材を２Ｂとして説明する。そして開口枠材２自体の構造は共通するので、共通する事項を説明する際には、開口枠材「２」として説明する。
【００１３】
図２（ａ）及び（ｂ）のパネル体４は、引戸として用いられる建具パネルを示しており、木質系材料等からなる矩形状の平板体で構成されている。パネル体４は、略鉛直に立てて設置され、部屋などの出入り口に設けられた開口部を開閉するため、スライド自在に構成される。
木質系材料としては、合板やＬＶＬ等の木質積層板、パーティクルボード等の木質ボード、インシュレーションボードやＭＤＦ（中密度繊維板）等の木質繊維板などとしてもよい。またパネル体４の表面には化粧板などが貼着されているものしてもよい。
パネル体４の略中央位置からいずれか一方端寄り、すなわち、パネル体４の幅方向端部から所定寸法内側の位置で且つ所定の高さ位置には、表裏に貫通して形成された開口部５が形成されており、この開口部５に引手１が設けられる。開口部５の形状は特に限定されないが、図例のものは側面視において正方形状に貫通孔が形成されている。
図中、４ａはパネル体４の表面，４ｂはパネル体４の裏面、５ａは開口縁である。
【００１４】
引手１は、上述したように一対の開口枠材２Ａ，２Ｂと、透光性板部材３とを備えており、これらを結合させて一体化することで構成されている。
開口枠材２は、硬質樹脂等からなり、開口縁５ａに係止される鍔部２０と、中空の筒状体に形成された周壁２１と、矩形状に且つ表裏方向ｄ１に貫通した貫通部２３を有しており、開口部５の表裏の開口縁５ａ，５ａの各々に相対向して装着される。
開口枠材２は、１つの引手１を構成するために２つの開口枠材２を必要とするが、同じ構造のものを用いることができるので、部材の共通化を図ることができる。
【００１５】
鍔部２０は、周壁２１の一方端（図例では、後記する周壁２１の端部２１ｃとは反対側の端部）から略垂直方向に外向きに延出して形成されている。鍔部２０は、パネル体４の開口部５への取り付け状態においては、図２（ａ）及び図２（ｂ）に示すように開口部５の開口縁５ａに鉤状に引っ掛かるようにして係止され、鍔部２０の裏面２０ａが開口縁５ａに当接して浮きが生じないようにして設けられる。
【００１６】
周壁２１は、その外形状が透光性板部材３の板本体部３０の外形状と同形状をなす中空の筒状体に形成され、周壁２１の外面２１ａの四面各々には、係止受け部２２が形成されている。図例の板本体部３０は、平面視において正方形状に形成されているため、周壁２１の板本体部３０と対向して配設される端部２１ｃは、板本体部３０と同形状の正方形状に形成される。これにより、一対の開口枠材２Ａ，２Ｂで板本体部３０を挟んだ状態で保持する際には、この四周の端部２１ｃが板本体部３０の表裏面の端部に当接される状態となる（図２（ｂ）参照）。
【００１７】
係止受け部２２は、周壁２１の外面２１ａの四面各々に一対のレール部材２２ａ，２２ａで構成されている。レール部材２２ａとレール部材２２ａとの間は、係止片部３１が挿入できるように一定の間隔が空けられており、これにより凹溝状を有した係止受け部２２が構成されている。図中、２２ｃは一対のレール部材２２ａ，２２ａによって形成された凹溝を示している。
係止受け部２２が設けられる位置は、係止片部３１に対応して設定される。すなわち、図例のように係止片部３１が、板本体部３０の周縁部３０ａの略中央位置に設けられている場合は、係止受け部２２の凹溝２２ｃが外面２１ａの略中央位置に設けられるように一対のレール部材２２ａ，２２ａが配設される。よって、図示していないが、例えば係止片部３１を周縁部３０ａの中央位置より右端側に設ける場合は、係止受け部２２も、外面２１ａの中央位置より右端側に設けられる。
【００１８】
レール部材２２ａは、周壁２１の高さ寸法と略同寸とされた平板状体からなり、レール部材２２ａの向かい合う端面２２ｂには、係止片部３１と係合する凹凸が形成されている。この端面２２ｂの形状は、特に限定されるものではなく、係止片部３１が表裏方向ｄ１に凹溝２２ｃ内を移動しながら係合できる形状であればよく、例えば一定の間隔を空けて凹凸が形成されているものであってもよい。
図例のものは、係止片部３１の端面３１ａの形状に対応して、ノコギリ歯形状に形成されており、図１のＸ部拡大図に示すように端部が内方から外方に向けて次第にレール部材２２ａの幅寸法が拡がるように傾斜した傾斜部２２ｂａと、直線部２２ｂｂとが形成され、交互に山と谷が連続して形成されている。
この山と谷で構成されたノコギリ歯の間隔は、図例に限定されないが、傾斜部２２ｂａと直線部２２ｂｂの形成個数が多いほど、後記する係止片部３１と係止受け部２２との係合位置を調整するときに、細かい位置調整ができることになる。
端面２２ｂの形状は上述のように図例に限定されず、例えば直線部２２ｂｂも傾斜したものとしてもよい。そして端面２２ｂの端部２１ｃ側の傾斜部２２ｂａが、内方から外方に向けて拡がる方向に傾斜しているため、係止片部３１を凹溝２２ｃ内にスムーズに誘導することができる。
【００１９】
透光性板部材３は、板本体部３０と、係止片部３１とを備えており、一対の開口枠材２Ａ，２Ｂで保持され開口部５を閉塞するように取り付けられる。
透光性板部材３は、透光性材料からなるものであれば、材質は特に限定されないが、例えば透明もしくは半透明のアクリル樹脂等の硬質の合成樹脂にて形成されたものとしてもよい。このように開口部５を閉塞する部材を透光性部材とすれば、透光性板部材３は、光を通すため、引手１を採光窓とすることができ、また透明の部材で透光性板部材３を形成すれば、覗き窓とすることもできる。
板本体部３０は、上述したように矩形状、具体的には平面視において正方形状の薄状平板体に形成されており、引手１としてパネル体４に取り付けられたときには、この板本体部３０が、表裏に貫通した開口部５の深さ方向略中央位置に配設される（図２（ｂ）参照）。
係止片部３１は、板本体部３０の周縁部３０ａの四辺の各々に形成され、且つその周縁部３０ａからパネル体４の表裏方向ｄ１の両側へ一定幅に突出して形成されている。図例の係止片部３１は、略長方形状の平板体からなり、板本体部３０の周縁部３０ａ（より具体的には板本体部３０の端面）の略中央位置に係止片部３１の中央部位が貼着された状態となっている。
【００２０】
係止片部３１の幅方向（短手方向）の両端面３１ａ，３１ａには、凹凸が形成されており、この係止片部３１の端面３１ａに形成された凹凸が、上述の係止受け部２２の端面２２ｂに形成された凹凸と係合するように形成されている。図例の端面３１ａには、ノコギリ歯形状に形成されており、図１のＹ部拡大図に示すように外方から内方に向けて次第に係止片部３１の幅寸法が拡がるように傾斜した傾斜部３１ａａと、直線部３１ａｂとが交互に山と谷が連続して形成されている。この山と谷で構成されたノコギリ歯の間隔は、図例に限定されず、傾斜部３１ａａと直線部３１ａｂの形成個数が多いほど、後記する係止片部３１と係止受け部２２との係合位置を調整するときに、細かい位置調整ができることになる点は上述したとおりである。端面３１ａの形状は上述のように図例に限定されず、例えば直線部３１ａｂも傾斜したものとしてもよい。
【００２１】
このように係止片部３１の端面３１ａの形状に対応して、係止受け部２２の端面２２ｂが形成されているので、係止受け部２２に係止片部３１を係合させていくと、傾斜部３１ａａ，２２ｂａ同士を当接した状態で嵌め合わせることができる。その後、例えば係止片部３１が押圧されると、係止片部３１が鍔部２０方向にスライド移動して、直線部３１ａｂ，２２ｂｂ同士を係合させることができる。
よって、係止片部３１の端面３１ａの形状を図例の形状にした場合は、係止片部３１が、係止受け部２２に対して、パネル体４の表裏方向ｄ１で段階的に位置を変えて係合させていくことができる。
すなわち、図例のようなノコギリ歯形状であれば、パネル体４の表裏方向ｄ１から係止受け部２２に係止片部３１を係合させていく際に、パネル体４の厚みにあわせて、係合位置を位置決めしながら取り付けていくことができる。
言い換えれば開口枠材２と透光性板部材３の係合位置を開口部５の深さ方向に係合させたい所望の位置でとめることができ、パネル体４の厚みに応じて取り付け位置を確認しながら、段階的に取り付けていくことができる。
【００２２】
以上のように引手１は、一対の開口枠材２Ａ，２Ｂと、透光性板部材３とで構成されており、基本的には、計３つの部材で構成されるが、透光性板部材３と同形状に形成された非透光性板部材（不図示）をさらに用意してもよい。上述したように透光性板部材３の場合は、光を通すため、採光窓とすることができ、また透明の部材で透光性板部材３を形成すれば、覗き窓とすることもできる。しかしながら、光を通したくない場所に設置される建具パネルの引手１とする場合は、透光性板部材３に代えて非透光性板部材を選択的に取り付けられるようにしてもよい。
【００２３】
そして図例のように透光性板部材３の板本体部３０を平面視において正方形状に形成し、これに対応して開口枠材２を形成し、また係止片部３１と係止受け部２２の形成位置がそれぞれ対応していれば、開口部５に各部材２、３を取り付ける作業が容易になる。すなわち、例えば板本体部３０が縦長の方形状に形成されている場合は、開口部５に各部材２，３を取り付ける際の取り付け向きは縦長の形状にあわせる必要があるが、これが正方形状であれば、いずれの向きにでも取り付けることができるので、取り付けが容易になる。
【００２４】
次に、以上の引手１のパネル体４の取り付け要領の一例を説明する。
まずは、図１に示すように個々にばらされた状態の開口枠材２Ａ，２Ｂ及び透光性板部材３を用意する。
そして、パネル体４の表面４ａ側から開口部５に開口枠材２Ａを取り付ける。
パネル体４の裏面４ｂ側から開口部５内に透光性板部材３を挿入し、係止片部３１を開口枠材２Ａの係止受け部２２に係合させ、この状態で透光性板部材３を表面４ａ側に向けて押圧していく。このとき、開口部５の深さ方向の略中央位置に透光性板部材３が配設されることが望ましいので、係止片部３１が係止受け部２２に対して段階的に位置を変えながらも、係止片部３１を適当な位置で仮保持しておくことが望ましい。取り付け位置の位置調整を後に行うことができるからである。
ついで、パネル体４の裏面４ｂ側から開口部５内に開口枠材２Ｂの周壁２１を挿入し、すでに開口枠材２Ａに仮保持されている係止片部３１を開口枠材２Ｂの係止受け部２２に係合させていく。
そして、開口枠材２Ｂによっても係止片部３１が仮保持されたら、後は透光性板部材３が、図２（ｂ）に示すように開口部５の深さ方向の略中央位置に配設されるように、開口枠材２Ａ，２Ｂとの係合位置を調整しながら、係合作業を行う。開口枠材２Ａ，２Ｂの双方の鍔部２０が表裏の開口縁５ａに係止される位置まで相互に移動し、一対の開口枠材２Ａ，２Ｂと透光性板部材３とが一体化されたら、取り付け完了である。
【００２５】
以上によれば、引手１は、パネル体４の表裏方向ｄ１に係止受け部２２に係止片部３１を係合させた状態で相互に移動させて取り付けることができるので、パネル体４の任意の厚さに対応することができる。
また引手１は、このように係止片部３１と係止受け部２２との係合及び鍔部２０の開口縁５ａの係止によって、各部材２，３が開口部５に一体化することができる。よって、引手１を取り付けるために、ねじなどの固定具を要しないため、容易に取り付けることができる。
さらに透光性板部材３の板本体部３０は、一対の開口枠材２Ａ，２Ｂの対向する周壁２１の端部２１ｃ，２１ｃ間に挟まれた状態で保持されるので、板本体部３０がぐらつくことなく、開口部５を塞ぐようにして配設することができる。
なお、上述の取り付け要領は一例であって、この要領に限定されるものではない。
例えばパネル体４の裏面４ｂ側に配設される開口枠材２Ｂから取り付けていってもよいし、予め係止片部３１を開口枠材２Ａの係止受け部２２に係合させた状態で開口部５に取り付けてもよい。またパネル体４へ引手１の取り付けを強固にするため、例えば鍔部２０の裏面２０ａに接着剤などを塗布して取り付けるようにしてもよい。
【００２６】
以上、上記した実施形態に係る引手１、一対の開口枠材２（２Ａ，２Ｂ）、透光性板部材３、パネル体（建具パネル）４等の構成、形状等は図例に限定されるものではない。例えば引手１は、図例の建具に限定されず、扉の採光窓を兼ねた引手１とすることもできる。またこの引手１が用いられる建具も一枚からなる片引戸、或いは二枚からなる引分戸など、種々の引戸の引き手部に適用可能である。
【符号の説明】
【００２７】
１                      引手
１０                    建具
２（２Ａ，２Ｂ）        一対の開口枠材
２１                    周壁
２１ａ                  外面
２２                    係止受部
３                      透光性板部材
３０                    板本体部
３０ａ                  周縁部
３１                    係止片部
４                      パネル体（建具パネル）
５                      開口部
５ａ                    開口縁
【図１】
2014031683.tif 000003
【図２】
2014031683.tif 000004